(57)【要約】【課題】  難易度が高く子供から大人まで楽しむことができるゲームを行うことのできる簡易な構成のゲーム器を提供することを目的とする。【解決手段】  本体の表面部２に、駒を載置するための載置部４を互いに隣接して構成し、前記載置部４を互いに直交する縦６列横６列の正方形状に配列し、前記載置部４のうち、４周の外側部を構成する各載置部４にそれぞれ隣接して駒を待機させるための待機部３を構成し、前記載置部４上部を覆い、かつ上方から載置部上の駒を視認できるカバー部材５を、前記本体の表面部２上に構成したゲーム器。【選択図】図１
2014036816.tif 000002
【特許請求の範囲】
【請求項１】
本体の表面部に、駒を載置するための複数の載置部を互いに隣接して構成し、前記載置部を互いに直交する縦列と横列に配列し、
前記載置部のうち、外側部を構成する各載置部にそれぞれ隣接して駒を待機させるための待機部を構成し、
前記載置部上部を覆い、かつ上方から載置部上の駒を視認できるカバー部材を前記本体の表面部上に構成し、
前記載置部への駒の載置を前記待機部からのみ行うことを特徴とするゲーム器。
【請求項２】
本体の表面部に、駒を載置するための載置部を互いに隣接して構成し、前記載置部を互いに直交する縦６列横６列の正方形状に配列し、
前記載置部のうち、４周の外側部を構成する各載置部にそれぞれ隣接して駒を待機させるための待機部を構成し、
前記載置部上部を覆い、かつ上方から載置部上の駒を視認できるカバー部材を前記本体の表面部上に構成し、
前記載置部への駒の載置を前記待機部からのみ行うことを特徴とするゲーム器。
【請求項３】
前記カバー部材を、透明の合成樹脂板によって構成し、本体の表面部に対して着脱自在に取り付けたことを特徴とする請求項１又は２記載のゲーム器。
【発明の詳細な説明】
【技術分野】
【０００１】  本発明は、複数の載置部に２種類の駒を並べて、プレイヤーのどちらが先に縦、横又は斜めのいずれか１列に自己の駒を連続して並べることができるかを競うゲームをするためのゲーム器に関するものである。
【背景技術】
【０００２】  従来より、二人のプレイヤーが碁盤上に碁石を交互に打って、縦、横又は斜めに自己の碁石を早く並べることを競う五目並べと呼ばれるゲームがあった。この五目並べに意外性を持たすために、碁盤の下部に磁石を嵌めこみ、磁石で作った碁石を使用する五目並べゲームが提案されている（特許文献１）。
【先行技術文献】
【特許文献】
【０００３】
【特許文献１】  実開平６−５２８８２号公報
【０００４】  特許文献１の考案は、碁盤の下部に磁石（５）をはめ込んだはめこみ板（２）を敷きその上に碁盤（１）を置き、磁石でつくった碁石の両面に２種類の色を塗り、Ｎ極・Ｓ極を逆にしたものをほぼ同数作成したものからなる五目並べゲームである。
この考案によれば、打った位置の碁盤（１）の下部の磁石（５）の上面と碁石（３）の下面とが異極どうしならば、お互いに吸引し合いその場に留まる。それらが同極どうしならば、お互いに反発し合い碁石（３）の方がひっくり返る。また、碁石（３）は、一つの枠に最高３個まで重ねて打つことができるため、意外性と作戦のバリエーションを楽しむことができるのである。
【発明の概要】
【発明が解決しようとする課題】
【０００５】  前記特許文献１記載の考案において、碁板の下部に磁石をはめ込んだはめこみ板を敷く必要があり、また碁石を磁石で作らなくてはならないため構造が複雑になると共に制作費用もかさみ、ゲームのルールが子供たちには分かりにくいという問題点もあった。【０００６】  本発明は、２人のプレイヤーが互いに自己の駒を動かして駒の配列を揃えながら相手の駒の配列を邪魔するという、簡単なルールでありながらゲームの難易度が高く子供から大人まで楽しむことができるゲームを行うことのできる簡易な構成のゲーム器を提供することを目的とする。
【課題を解決するための手段】
【０００７】  請求項１に記載の発明は、本体の表面部に、駒を載置するための複数の載置部を互いに隣接して構成し、前記載置部を互いに直交する縦列と横列に配列し、前記載置部のうち、外側部を構成する各載置部にそれぞれ隣接して駒を待機させるための待機部を構成し、前記載置部上部を覆い、かつ上方から載置部上の駒を視認できるカバー部材を前記本体の表面部上に構成し、駒の載置を、載置部の上方から行うことを防ぎ、待機部からのみ行うゲーム器である。【０００８】  請求項２に記載の発明は、本体の表面部に、駒を載置するための載置部を互いに隣接して構成し、前記載置部を互いに直交する縦６列横６列の正方形状に配列し、前記載置部のうち、４周の外側部を構成する各載置部にそれぞれ隣接して駒を待機させるための待機部を構成し、前記載置部上部を覆い、かつ上方から載置部上の駒を視認できるカバー部材を前記本体の表面部上に構成し、駒の載置を、載置部の上方から行うことを防ぎ、待機部からのみ行うゲーム器である。【０００９】  請求項３に記載の発明は、前記カバー部材を、透明の合成樹脂板によって構成し、本体の表面部に対して着脱自在に取り付けたゲーム器である。
【発明の効果】
【００１０】  請求項１のゲーム器によれば、載置部の上部にカバー部材を構成したため、上方から載置部上の駒を視認できるが、駒を載置部の上方から置くことはできず、常に外側部に隣接する待機部から載置部へと１個ずつ押し込まなければならない。
押し込まれた駒は隣接する載置部に移動するが、その載置部上にすでに駒がある場合は、その駒は新しく押し込まれた駒によって押されて次に隣接する載置部に移動する。
このため駒の移動後の自己の駒の配列を予測すると同時に相手の出方も予想することが要求されるため、難易度の高いゲームを楽しむことができる。【００１１】  請求項２のゲーム器によれば、駒の載置部を縦６列横６列の正方形状に構成し六目並べることを競うようにしたから、請求項１記載の効果に加え五目並べと同様な感覚でゲームを楽しむことができる。【００１２】  請求項３のゲーム器によれば、前記カバー部材は、透明の合成樹脂板であり、かつ本体の表面部に対して着脱自在に取り付けため、ゲームの終了時にカバー部材を取り除いて載置部の駒を簡単に取り出すことができ、ゲームの運行も円滑に行うことができる。また、カバー部材を取り外すことで、ゲーム器の収納、携帯に便利であり清掃も簡単にできる。
【図面の簡単な説明】
【００１３】
【図１】  実施形態１のゲーム器の斜視図
【図２】  実施形態１のゲーム器の平面図
【図３】  図２のＩＩＩ−ＩＩＩ線断面図
【図４】  実施形態１のゲーム器によるゲーム方法の説明図
【図５】  実施形態１のゲーム器によるゲーム方法の説明図
【図６】  実施形態１のゲーム器によるゲーム方法の説明図
【図７】  実施形態１のゲーム器によるゲーム方法の説明図
【図８】  実施形態１のゲーム器によるゲーム方法の説明図
【図９】  実施形態１のゲーム器によるゲーム方法の説明図
【図１０】  実施形態１のゲーム器によるゲーム方法の説明図
【図１１】  実施形態１のゲーム器によるゲーム方法の説明図
【発明を実施するための形態】
【００１４】  図１は本発明に係るゲーム器の実施形態１の斜視図及び図２は同平面図である。
ゲーム器本体１は平板な箱型で、内部に引き出し７，７を設けてそれぞれのプレイヤーの球体の駒８、９を複数収納してある。
ゲーム器本体１上面の表面部２は正方形であり、その中央に駒８、９の載置部である３６個の凹部４を、縦６列、横６列に直交して配置し正方形状に構成している。これらの駒８、９は互いに隣接して構成されているため、１個の凹部４から隣接する上下左右方向の他の凹部４に移動可能である。なお凹部４は底部が駒を安定して載置できるように湾曲している。
【００１５】  前記凹部４の周囲４ヶ所の外側部を構成する２０個の全ての凹部４にそれぞれ隣接して駒８、９を待機させるための待機部３（３１、３２、３３、３４）を合計２４個構成する。この待機部３（３１、３２、３３、３４）は、凹部４と同様に底部が湾曲している。
【００１６】  前記すべての凹部４の上部を覆う透明のプラスチック板からなるカバー部材５を構成し、このカバー部材５を表面部２の４隅に設けた支持孔２１に支柱５１を立設して、表面部２に対して着脱自在に取り付ける。
図中４１は、駒８、９の動きを規制して、駒８、９を隣接する凹部４へスムーズに移動させるための規制部であり、４１ａは仕切り部である。
【００１７】  前記カバー部材５は透明であるため、凹部４に配置された駒８、９は、カバー部材５の上方から視認できゲームの進行状態を把握できる。
また凹部４に駒８、９を配置するときは、カバー部材５が障害となって上方より内側の凹部４に配置することができず、凹部４の周囲の外側部に構成されたいずれかの待機部３（３１、３２、３３、３４）から、水平方向に力を加えて凹部４に押し込むように投入しなくてはならない。
【００１８】  前記凹部４の個数や形状は任意に決めることができ、待機部３（３１、３２、３３、３４）も同様に形状や個数は本実施形態に限定されないものとする。さらにカバー部材も透明のプラスチック板に限らず、半透明の板部材、あるいは網体等、上記のようなカバー部材の目的、効果を有するものを使用することができる。
【００１９】  上記のように構成した本実施形態のゲーム器を使用したゲームは、２人のプレイヤーが自己の駒８あるいは駒９を任意の凹部４に交互いに配置していき、縦、横あるいは斜めの何れかの１列に自己の駒を相手より先に６個連続して並べることを競うものである。
【００２０】  このゲームにおいて待機部３より駒８、９を外側部を構成する凹部４に押し込むと、この凹部４にすでに配置されている駒８、９は、新しく押し込まれた駒によって仕切り部４１ａを越えて隣接する凹部４へと移動させられる。そのとき、前記隣接する凹部４にもすでに駒がある場合は、その駒も同時に隣の凹部へと移動していく。
すなわち、ある１列に複数の駒が隣接して配置されているときは、その列の駒を押すことにより、すべての駒が隣の凹部へと順次移動していくことになる。
このとき、駒は隣の凹部４との間の仕切り部４１ａを乗り越えて移動するため、強い力で押されると仕切り部４１ａを乗り越えるときに上方へ跳ね上がり、列の横方向等の凹部へと移動する恐れがあるが、前記カバー部材５が載置部上方をカバーしているため、このカバー部材５が障害となって駒は上方に跳ねだすことはできずに押された方向の列の隣の凹部へと移動するのである。
【００２１】  このようにして、任意の待機部３から外側部を構成する凹部４へ駒８、９を押し込むように投入することによって、他の駒８、９を移動させて自己の駒の列を伸ばすと共に、相手の駒の列を寸断して妨害するという意外性と面白さがあり、相手の出方を考えながら駒を凹部４に配置しなくてはならず、高度なゲーム感覚が要求される。
【００２２】  次に、上記構成のゲーム器によるゲーム方法について図４乃至図１１に基づいて説明する。これらの図ではカバー部材５を省略している。
また先手は図４の下側と左側の待機部を使用し、後手は上側と右側の待機部を使用するものとする。
【００２３】  図４において、２人のプレイヤーのうち先手が駒８１（８）を待機部３１（３）から凹部４に投入して駒８１を縦列方向（図中上側）に移動させる。同様に後手は駒９１（９）を待機部３３（３）から凹部４へ投入して駒９１を縦列方向（図中下側）に移動させる。
【００２４】  図５において、先手は駒８２を待機部３１から駒８１を押しながら凹部４に投入する。後手は駒９２を待機部３３から駒９１を押しながら凹部４へ投入する。これによって駒８１と駒９１は、隣接する凹部４へと移動する。
【００２５】  図６において、先手は駒８３を待機部３１から凹部４に投入し、駒８１、８２を縦列方向に押して隣接する凹部へ移動させる。後手は駒９３を待機部３４から凹部４へ投入する。このとき駒９３が投入された凹部４には他の駒は配置されてない。
【００２６】  図７において、先手は駒８４を待機部３１から凹部４に投入して、駒８１、８２、８３を押して隣接する凹部４へ移動させる。後手は駒９４を待機部３４から凹部４へ投入して駒９３とそれに隣接している駒９１を横列方向（図中左側）へ押して夫々隣接する凹部４へと移動させる。
【００２７】  図８において、先手は駒８５を待機部３１から凹部４に投入して、駒８１、８２、８３、８４を縦列方向に押して前進させて図９の状態となる。
【００２８】  図９の状態から、後手は駒９５を待機部３４から凹部４へ投入して駒９１、９３、９４を横列方向に押して次の凹部４へと移動させる。
このように後手の駒９１、９３、９４が横列方向に移動することによって先頭の駒９１は、前記先手の駒８１を横列方向（図中左側）に押して、この駒８１は先手の駒８２、８３、８４、８５の縦列から外れることになり（図１０参照）、先手の駒の列は中断される。
次に、先手は駒８６を任意の待機部３２から凹部４に投入し、後手は待機部３４から凹部４へと投入して、ゲームは進行する。
【００２９】  このようにして、プレイヤーは自己の駒８、９を、自己の任意の待機部から交互いに凹部４に投入し、図１１に示すように縦列Ａ、横列Ｂあるいは斜め列Ｃの何れかの方向の１列に自己の駒を６個連続して先に並べたほうが勝ちになる。
【００３０】  また、全ての凹部４が駒８、９が配置されても勝敗が決定しない場合は、凹部内に新たに駒を投入してすでに凹部４上にある駒を待機部３に押し出しながら勝敗が決まるまでゲームを続けることができる。
【００３１】  ゲームを終了する場合は、カバー部材５を外して凹部４，４・・から全ての駒８、９を取り出せば迅速に終了させることができる。
【００３２】  上記のように本ゲーム器を使ったゲームによれば駒８、９の投入の際に、４周の外側部の待機部３から投入されるため、すでに凹部に配置されている駒は予期せぬ動きをして、自己の駒が意に反して隣の凹部へと移動させられることもあるので、意外性に富んで興趣につきない。また駒の移動後に配列がどのように変わるのか、さらには相手の出方を考えながらゲームを進行させる必要があるので、高度なゲーム感覚が要求される。またルールが簡単なので子供から大人までが楽しめるのである。
【符号の説明】
【００３３】１  ゲーム器本体        ２  表面部          ３  待機部
４  載置部（凹部）      ５  カバー部材      ７  引き出し
８  駒                  ９  駒
【図１】
2014036816.tif 000003
【図２】
2014036816.tif 000004
【図３】
2014036816.tif 000005
【図４】
2014036816.tif 000006
【図５】
2014036816.tif 000007
【図６】
2014036816.tif 000008
【図７】
2014036816.tif 000009
【図８】
2014036816.tif 000010
【図９】
2014036816.tif 000011
【図１０】
2014036816.tif 000012
【図１１】
2014036816.tif 000013